(57)【特許請求の範囲】
【請求項１】
ミニディスクとコンパクトディスクとを選択的に１つの筐体内に挿入して、前記ミニディスクまたは前記コンパクトディスクに記録された情報を読取るミニディスク及びコンパクトディスクの兼用ディスクプレーヤにおいて、
前記ミニディスクの挿入口と前記コンパクトディスクの挿入口とを有するディスク挿入口を有するパネルと、
前記ミニディスクを回転させるミニディスク用回転ユニットと、
前記コンパクトディスクを回転させるコンパクトディスク用回転ユニットと、
前記ミニディスク用回転ユニットと前記コンパクトディスク用回転ユニットとを取付けた水平旋回自在の旋回フレームと、
前記筐体内部に挿入された前記コンパクトディスクに接触して前記コンパクトディスクをクランプするクランパを有するクランプユニットと、
前記ミニディスクの挿入口に前記ミニディスクが挿入されたときには、前記旋回フレームを旋回させず、前記コンパクトディスクの挿入口に前記コンパクトディスクが挿入されたときには、前記コンパクトディスク用回転ユニットが前記クランパに対向する位置に臨むよう、前記旋回フレームを旋回させる回転機構を備えて構成したことを特徴とするミニディスク及びコンパクトディスクの兼用ディスクプレーヤ。
【請求項２】
前記ディスク挿入口は、前記ミニディスクの挿入口の中央位置が前記コンパクトディスクの挿入口の中央位置より変位していることを特徴とする請求項１記載のミニディスク及びコンパクトディスクの兼用ディスクプレーヤ。
【請求項３】
前記ディスク挿入口は、前記ミニディスクの挿入口と前記コンパクトディスクの挿入口とが連結して一体的な開口として形成されていることを特徴とする請求項１または２に記載のミニディスク及びコンパクトディスクの兼用ディスクプレーヤ。
【請求項４】
前記クランパは、前記筐体内部に挿入された前記ミニディスクに接触して前記ミニディスクをクランプすることを特徴とする請求項１ないし３のいずれか１項に記載のミニディスク及びコンパクトディスクの兼用ディスクプレーヤ。
【発明の詳細な説明】
【０００１】
【発明の属する技術分野】
本発明は、ミニディスク及びコンパクトディスクの兼用ディスクプレーヤに関する。
【０００２】
【従来の技術】
ミニディスク及びコンパクトディスクの兼用ディスクプレーヤのローディング機構として、例えば▲１▼特開平７−２９６４９９号公報（特許文献１）「ミニディスク及びコンパクト兼用ディスクプレーヤー」、また、ミニディスク単体のローディング機構として、例えば▲２▼後述の図１３で示す機構が知られている。
上記▲１▼は、同公報図１に示される通り、コンパクトディスを搬入するためにコンパクトディスクトレー２０をベースプレート１６にスライド可能に配置し、ミニディスクを収納したミニディスクカートリッジ（以下、「ＭＤカートリッジ」と略記する。）を搬入するためにミニディスクトレー３４をコンパクトディスクトレー２０内にスライド可能に配置し、さらに、コンパクトディスクトレー２０の側壁部の一部を開放してミニディスクカートリッジ挿入開口部５１を設け、ミニディスクトレー３４の側壁部の一部を開放してミニディスクカートリッジ挿入開口部５０を設けたものである。
即ち、ミニディスク及びコンパクトディスクの回転部分をシャーシにそれぞれ縦配置し、これらの回転部分の間にミニディスク及びコンパクトディスク兼用のピックアップをスライド可能に配置し、コンパクトディスク用トレーの中にミニディスク用トレーを配置したものである。
【０００３】
図１３（ａ）〜（ｄ）は従来のミニディスク単体のローディング機構の一例を示す図である。
（ａ）は、従来のミニディスク単体のローディング機構１００にミニディスクカートリッジ１０１（以下、「ＭＤカートリッジ１０１」と略記する。）を挿入する前の状態を示す。
ローディング機構１００は、ミニディスクホルダ１０２と、このミニディスクホルダ１０２にスライド可能に取付けた搬送フレーム１０３と、この搬送フレーム１０３を移動させるための搬送手段（図示せず）とからなる。
ＭＤカートリッジ１０１は、搬送のための凹部１０１ａ，１０１ａと、シャッタ１０１ｂを備える。
搬送フレーム１０３は、ＭＤカートリッジ１０１の凹部１０１ａ，１０１ａに嵌合させるための一対のクランパ１０４，１０４と、このクランパ１０４，１０４を外方へ向って力を掛けた引張りばね１０５，１０５とを備える。
なお、矢印ａはＭＤカートリッジ１０１の挿入方向を示す。
【０００４】
（ｂ）は、ミニディスクホルダ１０２にＭＤカートリッジ１０１を挿入すると、ＭＤカートリッジ１０１でクランパ１０４，１０４の先端を矢印ｂの如く外方へ押し開くことを示す。
（ｃ）は、更にＭＤカートリッジ１０１を押し込むと、クランパ１０４，１０４の先端は矢印ｃの如くＭＤカートリッジ１０１の凹部１０１ａ，１０１ａに嵌合したことを示す。
（ｄ）は、搬送手段（図示せず）で搬送フレーム１０３を矢印ｄの如く移動させ、ＭＤカートリッジ１０１のローディングを完了したことを示す。
なお、上記説明ではローディングのみの動作を説明し、ＭＤカートリッジ１０１のシャッタ１０１ｂを開放する動作を省略したが、ローディングを完了するまでにシャッタ１０１ｂを開放するための機構が付加される。
【０００５】
【特許文献１】
特開平７−２９６４９９号公報
【０００６】
【発明が解決しようとする課題】
しかし、上記▲１▼の技術では、トレー方式なので奥行きが必要であり、ミニディスク及びコンパクトディスクの兼用ディスクプレーヤの小型化をすることは困難である。また、ＭＤカートリッジとコンパクトディスクとにそれぞれ専用のトレーが必要であり、コストも嵩む。
上記▲２▼の技術では、ＭＤカートリッジのローディング専用の機構なので、コンパクトディスクをローディングする別の機構が必要であり、兼用ディスクプレーヤのローディング機構にすることは難しい。
【０００７】
本発明の目的は、ミニディスク及びコンパクトディスクの兼用ディスクプレーヤを小型化・軽量化することにある。
【０００８】
【課題を解決するための手段】
上記課題を解決するため、以下の構成よりなるミニディスク及びコンパクトディスクの兼用ディスクプレーヤを提供するものである。
【０００９】
（１）ミニディスクとコンパクトディスクとを選択的に１つの筐体内に挿入して、前記ミニディスクまたは前記コンパクトディスクに記録された情報を読取るミニディスク及びコンパクトディスクの兼用ディスクプレーヤにおいて、前記ミニディスクの挿入口と前記コンパクトディスクの挿入口とを有するディスク挿入口を有するパネルと、前記ミニディスクを回転させるミニディスク用回転ユニットと、前記コンパクトディスクを回転させるコンパクトディスク用回転ユニットと、前記ミニディスク用回転ユニットと前記コンパクトディスク用回転ユニットとを取付けた水平旋回自在の旋回フレームと、前記筐体内部に挿入された前記コンパクトディスクに接触して前記コンパクトディスクをクランプするクランパを有するクランプユニットと、前記ミニディスクの挿入口に前記ミニディスクが挿入されたときには、前記旋回フレームを旋回させず、前記コンパクトディスクの挿入口に前記コンパクトディスクが挿入されたときには、前記コンパクトディスク用回転ユニットが前記クランパに対向する位置に臨むよう、前記旋回フレームを旋回させる回転機構を備えて構成したことを特徴とするミニディスク及びコンパクトディスクの兼用ディスクプレーヤ。
【００１０】
（２）前記ディスク挿入口は、前記ミニディスクの挿入口の中央位置が前記コンパクトディスクの挿入口の中央位置より変位していることを特徴とする上記（１）記載のミニディスク及びコンパクトディスクの兼用ディスクプレーヤ。
【００１１】
（３）前記ディスク挿入口は、前記ミニディスクの挿入口と前記コンパクトディスクの挿入口とが連結して一体的な開口として形成されていることを特徴とする上記（１）または（２）に記載のミニディスク及びコンパクトディスクの兼用ディスクプレーヤ。
【００１２】
（４）前記クランパは、前記筐体内部に挿入された前記ミニディスクに接触して前記ミニディスクをクランプすることを特徴とする上記（１）ないし（３）のいずれか１つに記載のミニディスク及びコンパクトディスクの兼用ディスクプレーヤ。
【００１３】
【発明の実施の形態】
本発明の実施の形態を添付図に基づいて以下に説明する。なお、図面は符号の向きに見るものとする。
図１は本発明に係るミニディスク及びコンパクトディスクの兼用ディスクプレーヤの分解斜視図である。
ミニディスク・コンパクトディスク兼用ディスクプレーヤ１は、箱型の筐体２と、この筐体２の前面に取付けたパネル３と、筐体２の上面を覆う上部カバー４と、筐体２に浮して取付けたシャーシとしてのフローティングシャーシ５と、このフローティングシャーシ５に回転可能に取付けたメカユニット１０と、このメカユニット１０を水平旋回させるための回転機構３０と、ミニディスクを収納したＭＤカートリッジ及びコンパクトディスクを押さえるためのクランプユニット４０と、ミニディスク及びコンパクトディスクをパネル３の内部に搬入するためのローディング機構５０とからなる。
【００１４】
パネル３は、大径のコンパクトディスク（１２ｃｍコンパクトディスク）及び小径のコンパクトディスク（８ｃｍコンパクトディスク）の挿入口７と、このコンパクトディスクの挿入口７の一部に一体的に形成したミニディスクの挿入口７ａとを備える。
フローティングシャーシ５は、メカユニット１０を水平旋回可能に支持する支持部５ａを備える。
【００１５】
図２は本発明に係るミニディスク及びコンパクトディスクの兼用ディスクプレーヤの平面図であり、メカユニット１０及び回転機構３０を示す。
メカユニット１０は、略矩形の旋回フレーム１１と、この旋回フレーム１１に設けたミニディスク用回転ユニット１２と、このミニディスク用回転ユニット１２に対向して設けたコンパクトディスク用回転ユニット１３と、これらの回転ユニット１２，１３の間に移動可能に配置したミニディスク及びコンパクトディスク兼用ピックアップ１４と、この兼用ピックアップ１４を駆動するための送り機構１５とからなる。
【００１６】
旋回フレーム１１は、フローティングシャーシ５の支持部５ａに嵌合する孔１１ａと、回転機構３０に嵌合するカム溝１１ｂとを備える。
ミニディスク用回転ユニット１２は、旋回フレーム１１に取付けたモータ１８、このモータ１８に取付けたターンテーブル１９とからなる。
コンパクトディスク用回転ユニット１３は、旋回フレーム１１に取付けたモータ２１、このモータ２１に取付けたターンテーブル２２とからなる。
送り機構１５は、旋回フレーム１１に取付けた送りモータ２３と、この送りモータ２３にギヤ群２４を介して接続したミニディスク及びコンパクトディスク兼用ピックアップ１４を移動するための送りねじ２５とからなる。
【００１７】
回転機構３０は、フローティングシャーシ５に取付けたモータ３１と、このモータ３１にギヤ群３２を介して接続したカムギヤ３３と、このカムギヤ３３の動きを旋回フレーム１１に伝える伝達レバー３４とからなる。
カムギヤ３３は、ギヤ群３２に噛み合うギヤ部３３ａと、伝達レバー３４に嵌合するカム溝３３ｂとからなる。
伝達レバー３４は、板状のレバー本体３４ａと、フローティングシャーシ５に回転可能に取付けた支持部３４ｂと、旋回フレーム１１のカム溝１１ｂに嵌合させた第１のピン３４ｃと、カムギヤ３３のカム溝３３ｂに嵌合させた第２のピン３４ｄとからなる。
モータ３１を回転することでギヤ群３２を介してカムギヤ３３が回転し、このカムギヤ３３のカム溝３３ｂに嵌合した第２のピン３４ｄにより伝達レバー３４が回転し、この伝達レバー３４の第１のピン３４ｃにより旋回フレーム１１を水平旋回させるものである。
【００１８】
図３は本発明に係るクランプユニット及びローディング機構の平面図であり、図４は本発明に係るクランプユニット及びローディング機構の側面図である。
クランプユニット４０は、一端をフローティングシャーシ５に所定の角度内で回転可能に取付けたクランプホルダ４１と、このクランプホルダ４１の他端に取付けた板ばね４２と、この板ばね４２に回転可能に保持したクランパ４３と、クランプホルダ４１と上部カバー４との間に掛け渡した引張りばね４４，４４と、クランプホルダ４１を作動させるための駆動手段（図示せず）とからなる。
【００１９】
ローディング機構５０は、フローティングシャーシ５に回転可能に取付けた第１のローラユニット５１と、この第１のローラユニット５１に回転可能に取付けた第２のローラユニット５２と、これらのローラユニット５１，５２を回転させるための駆動部５３と、第１のローラユニット５１に接続したレベル調整手段としての回転レバー５４と、第２のローラユニット５２からターンテーブル１９寄りに設けたミニディスクホルダ９０とからなる。
【００２０】
第１のローラユニット５１は、フローティングシャーシ５に所定の角度内で回転可能に取付けた第１のローラフレーム５６と、この第１のローラフレーム５６の左右の側板間に回転可能に取付けた第１のローラ５７と、第１のローラフレーム５６に回転可能に取付けた伝達軸５８とからなる。
【００２１】
第１のローラフレーム５６は、伝達軸５８に連結した中間ギヤ５９，６１と、フローティングシャーシ５との間に掛け渡した反転ばね６２とを備える。なお、５６ａは第２のローラユニット５２と嵌合させるための孔、５６ｂ，５６ｂは第１のローラフレーム５６をフローティングシャーシ５に回転可能に支持する支持部である。
第１のローラ５７は、ローラ軸６３と、このローラ軸６３に長尺に取付け、かつ、中央部を鼓状に形成したゴムローラ６４と、ローラ軸６３の一端に回転可能に取付け、かつ、ゴムローラ６４の端部の径よりわずかに太径に形成したフリーローラ６５、ローラ軸６３の他端に取付けた最終ギヤ６６とからなる。この際、第１のローラ５７は、大径のコンパクトディスク（１２ｃｍコンパクトディスク）を搬送できるように長尺に形成されている。
伝達軸５８は、軸本体６８と、この軸本体６８の中間に取付けた駆動ギヤ６９と、軸本体６８の両端に取付けた伝達ギヤ７１，７２とからなる。
【００２２】
第２のローラユニット５２は、第１のローラフレーム５６の内側に設けられており、かつ、軸本体６８に図示せぬカラーを介して回転可能に取り付けた第２のローラフレーム７３と、この第２のローラフレーム７３の左右の側板間に回転可能に取付けた第２のローラ７４と、第２のローラフレーム７３を跳ね上げるための跳ね上げレバー７５とからなる。この際、第２のローラ７４はＭＤカートリッジを搬送できるように短尺に形成されていると共に、第１のローラ５７に略平行に設けられている。
【００２３】
第２のローラフレーム７３は、図示左側の伝達ギヤ７２を介して伝達軸５８に連結した中間ギヤ７７を備える。なお、７３ａは第１のローラフレームの孔に嵌合した凸片、７３ｂは跳ね上げレバー７５に嵌合させた嵌合溝である。
第２のローラ７４は、ローラ軸７９と、このローラ軸７９に取付けた樹脂ローラ８１と、この樹脂ローラ８１の一端よりに被せたゴムローラ８２と、このゴムローラ８２側でローラ軸７９の一端に取付けた最終ギヤ８３とからなる。
跳ね上げレバー７５は、第１のローラフレーム５６に回転可能に取付けた軸部７５ａと、ＭＤカートリッジを送り込むことで作動させるレバー部７５ｂと、第２フレームを跳ね上げる作動部７５ｃとからなる。
８５は跳ね上げレバー７５を所定の位置に戻すためにレバー部７５ｂと第１のローラフレーム５６との間に掛け渡したトーションばねである。
【００２４】
駆動部５３は、フローティングシャーシ５に取付けたモータ８６と、このモータ８６の軸８６ａに取付けたウォームギヤ８７と、このウォームギヤ８７に噛み合わせた連結ギヤ８８とからなる。
なお、連結ギヤ８８は、先に説明した駆動ギヤ６９に噛み合わせたものである。
コンパクトディスクを第１のローラ５７に搬送し、ＭＤカートリッジを第２のローラ７４で搬送するようにしたので、容易に一つの駆動部５３で第１のローラ５７及び第２のローラ７４を駆動することができる。
第１のローラ５７の長さの範囲内に第２のローラ７４を設けたので、ローディング機構５０を小型化・軽量化することができる。
【００２５】
図５は本発明に係るローディング機構の側面図であり、回転レバー５４、第１のローラフレーム５６及び反転ばね６２の相互の関係を示す。
回転レバー５４は、ローラ軸６３に嵌合させたＵ溝５４ａと、フローティングシャーシ５に回転可能に取付けた支点５４ｂと、図示せぬ駆動手段に嵌合させる駆動ピン５４ｃとからなる。この際、第１のローラフレーム５６を回転可能に支持する支持部５６ｂ，５６ｂと、第２のローラフレーム７３を回転可能に支持する軸本体６８とは略同一軸線上にある。
駆動手段（図示せず）で回転レバー５４の駆動ピン５４ｃを白抜き矢印Ａ方向に横スライドさせると、回転レバー５４は支点５４ｂを中心に回転する。第１のローラフレーム５６は、白抜き矢印Ｂ方向に支持部５６ｂを中心にして第２のローラフレーム７３とともに回転し、反転ばね６２の力を借りて２点鎖線で示すように変位することを示す。
【００２６】
図６は本発明に係るローディング機構の要部側面図であり、第１のローラフレーム５６、第２のローラフレーム７３及び跳ね上げレバー７５の相互の関係を示す。
第２のローラフレーム７３は図示せぬカラーを介して伝達軸５８に回転可能に取付けたことを示す。
凸片７３ａと孔５６ａとが嵌合状態にあることを示す。
作動部７５ｃは嵌合溝７３ｂに嵌合し、レバー部７５ｂに白抜き矢印Ｄ方向の力が働くと軸部７５ａを中心に反時計方向に回転するので第２のローラフレーム７３が軸本体６８を中心に白抜き矢印Ｅ方向に回転する。
第２のローラフレーム７３が跳ね上がり、第２のローラフレーム７３の凸片７３ａが孔５６ａに接触することで、第２のローラフレーム７３によって第１のローラフレーム５６も跳ね上がることを示す。
トーションばね８５がレバー部７５ｂと第１のローラフレーム５６との間に掛け渡してあるので、白抜き矢印Ｄ方向の力を除去すれば所定の位置に復帰することを示す。
【００２７】
図７は本発明に係るミニディスクホルダの平面図である。
ミニディスクホルダ９０は、ホルダ本体９１と、このホルダ本体９１に回転可能に取付けたシャッタ開閉ユニット９２とからなる。
ホルダ本体９１は、シャッタ開閉ユニット９２の支軸９１ａと、ＭＤカートリッジの側面をガイドするサイドガイド部９１ｂ，９１ｃと、ＭＤカートリッジを引っ掛かりなく搬入するための前面案内部９１ｄ，９１ｅとを備える。
シャッタ開閉ユニット９２は、支軸９１ａに一定範囲で回転可能に取付けた開閉ホルダ９３と、この開閉ホルダ９３に取付けたシャッタ開閉ばね片９４と、ホルダ本体９１と開閉ホルダ９３との間に掛け渡した引張りばね９５とからなる。開閉ホルダ９３は、ＭＤカートリッジのロック解除片９３ａと、支軸９１ａに嵌合するための嵌合孔９３ｂを備える。
【００２８】
以上に述べたミニディスク及びコンパクトディスクの兼用ディスクプレーヤのローディング機構５０の作用を次に説明する。
図８（ａ）〜（ｃ）は本発明に係るローディング機構の作用説明図（第１）であり、パネル３に設けた挿入口７ａからミニディスクカートリッジＭ（以下、「ＭＤカートリッジＭ」と略記する。）を挿入した姿を示す。なお、（ａ）はミニディスク・コンパクトディスク兼用ディスクプレーヤ１の正面を示し、（ｂ）は平面を示し、（ｃ）は側面を示す。
（ａ）は、ＭＤカートリッジＭが挿入口７ａのみから挿入可能であることを示し、挿入口７からは挿入できないことを示す。
（ｂ）は、メカユニット１０がＭＤカートリッジＭをローディング可能な位置にあることを示し、ＭＤカートリッジＭを、挿入口７ａによりパネル３に対して横方向の位置は規制することができるので、ＭＤカートリッジＭとターンテーブル１９との横方向の位置は一致することを示す。
（ｃ）は、ローディング機構５０の直前までＭＤカートリッジＭを挿入したことを示す。
【００２９】
図９（ａ）〜（ｃ）は本発明に係るローディング機構の作用説明図（第２）である。
（ａ）は、ＭＤカートリッジＭを矢印▲１▼の如く挿入することで、跳ね上げレバー７５（図６参照）を動作させ、第２のローラユニット５２を跳ね上げるとともに第２のローラフレーム７３の凸片７３ａで第１のローラユニット５１を押上げたことを示す。
ＭＤカートリッジＭが所定の位置まで挿入されると図示せぬ検出スイッチでＭＤカートリッジＭを検知し、第１のローラ５７は矢印▲２▼の如く回転し、第２のローラ７４は矢印▲３▼の如く第１のローラ５７とは逆回転する。（図３、図４で説明したように、第１のローラユニット５１は２個の中間ギヤ５９，６１（図３参照）を備え、第２のローラユニット５２は１個の中間ギヤ７９（図３参照）を備えているため、第１のローラ５７と第２のローラ７４とは常に逆回転する。）
【００３０】
（ｂ）は、第２のローラ７４をＭＤカートリッジＭの上面に接触させてターンテーブル１９の方向へＭＤカートリッジＭを搬送することを示し、ＭＤカートリッジＭ自身で第１のローラ５７をさらに上方に押上げながら矢印▲４▼の如く移動することを示す。
なお、第１のローラ５７は、第２のローラ７４と逆回転しているが、ＭＤカートリッジＭの上面は第１のローラのフリーローラ６５が当っている。従って、第１のローラ５７は、ミニディスクＭの搬送の妨げにはならない。
（ｃ）は、ＭＤカートリッジＭを所定の位置まで搬送後第２のローラ７４を停止させ、回転レバー５４を作動させターンテーブル１９にチャッキングするとともに、クランプユニット４０を回転させる。即ち、回転レバー５４及び第１のローラを介して第２のローラ７４とクランパ４３とでＭＤカートリッジＭをクランプしたことを示す。
【００３１】
第２のローラ７４を第１のローラ５７及びレベル調整手段（回転レバー５４）を介してシャーシ（フローティングシャーシ５）側に取付けたので、ＭＤカートリッジＭを所定の位置まで搬送させた後に、第２のローラ７４をクランプ手段として機能させることができる。
一方、（ａ）〜（ｃ）に示したＭＤカートリッジＭの搬送の途中でＭＤカートリッジＭはシャッタを開放する動作をするので、次図に基づいて説明する。
【００３２】
図１０（ａ）〜（ｅ）は本発明に係るローディング機構の作用説明図（第３）であり、ＭＤカートリッジＭのシャッタ開閉動作を示す。
（ａ）において、ＭＤカートリッジＭは、ハウジングＭ１と、このハウジングＭ１にスライド可能に取付けたシャッタＭ２とを備える。
ハウジングＭ１は、シャッタＭ２のロックを解除するシャッタ解除溝Ｍ３と、このシャッタ解除溝Ｍ３に設けたロック部Ｍ４を備え、シャッタＭ２は、シャッタＭ２を移動するための孔Ｍ５を備える。
ホルダ本体９１に矢印▲５▼の如くＭＤカートリッジＭを挿入すると、ハウジングＭ１の一方の先端部がロック解除片９３ａに接触したことを示す。
【００３３】
（ｂ）は、ホルダ本体９１にＭＤカートリッジＭをさらに搬入すると、ハウジングＭ１の一方の先端部がロック解除片９３ａを押し、矢印▲６▼の如く回転することを示す。
（ｃ）は、ホルダ本体９１にＭＤカートリッジＭをさらに搬入すると、シャッタ開閉ユニット９２は、ＭＤカートリッジＭの挿入方向と平行になり、ロック解除片９３ａはシャッタ解除溝Ｍ３に嵌合することを示す。
【００３４】
（ｄ）は、ホルダ本体９１にＭＤカートリッジＭをさらに搬入すると、ロック解除片９３ａはロックボタンＭ４を押すとともにシャッタＭ２の孔Ｍ５にシャッタ開閉ばね片９４が嵌合する。
（ｅ）は、ホルダ本体９１にＭＤカートリッジＭを所定の位置まで搬入することで、シャッタＭ２を開放したことを示す。
ミニディスクホルダ９０にＭＤカートリッジＭのシャッタ開閉ユニット９２を設け、このシャッタ開閉ユニット９２をＭＤカートリッジＭで使用姿に起こし、それ以外は待機位置に納るように回転可能に構成したので、ローディング機構の奥行きを小さくすることができる。
【００３５】
図１１（ａ）〜（ｃ）は本発明に係るローディング機構の作用説明図（第４）であり、パネル３に設けた挿入口７からコンパクトディスクＣを挿入した姿を示す。なお、（ａ）はミニディスク・コンパクトディスク兼用ディスクプレーヤ１の正面を示し、（ｂ）は平面を示し、（ｃ）は側面を示す。
（ａ）は、コンパクトディスクＣが挿入口７から挿入可能であることを示す。（ｂ）は、コンパクトディスクＣが挿入されると、図示せぬ検出スイッチによって、コンパクトディスクＣであることを検知し、回転機構３０によってメカユニット１０を所定の位置まで回転させたことを示す。
（ｃ）は、ローディング機構５０の直前までコンパクトディスクＣを挿入した状態を示す。
【００３６】
図１２（ａ），（ｂ）は本発明に係るローディング機構の作用説明図（第５）である。
（ａ）は、第１のローラ５７が矢印▲７▼の如く回転し、第１のローラ５７をコンパクトディスクＣの下面に接触させてコンパクトディスクＣを矢印▲８▼の如く搬送することを示す。
なお、第２のローラ７４は、矢印▲９▼の如く第１のローラ５７とは逆回転しているが、第２のローラ７４のレベルは低い。従って、第２のローラ７４は、コンパクトディスクＣの搬送の妨げにはならない。
（ｂ）は、コンパクトディスクＣを所定の位置まで搬送後、回転レバー５４を作動させターンテーブル２２にチャッキングするとともに、クランプユニット４０を回転させコンパクトディスクＣをクランプしたことを示す。
なお、小径のコンパクトディスク（８ｃｍコンパクトディスク）も、図１１，図１２に示した手順で第１のローラ５７で搬送できる。
【００３７】
なお、本実施例ではレベル調整手段を回転方式として第１・第２のローラユニットを回転させたが、必ずしも回転する必要はなく第１・第２のローラユニットを上下スライドさせてもよい。
【００３８】
【発明の効果】
以上詳細に説明したように、本発明のミニディスク及びコンパクトディスクの兼用ディスクプレーヤは、ミニディスクの挿入口とコンパクトディスクの挿入口とを有するディスク挿入口を有するパネルと、ミニディスクを回転させるミニディスク用回転ユニットと、コンパクトディスクを回転させるコンパクトディスク用回転ユニットと、ミニディスク用回転ユニットとコンパクトディスク用回転ユニットとを取付けた水平旋回自在の旋回フレームと、筐体内部に挿入されたコンパクトディスクに接触してコンパクトディスクをクランプするクランパを有するクランプユニットと、ミニディスクの挿入口にミニディスクが挿入されたときには、旋回フレームを旋回させず、コンパクトディスクの挿入口にコンパクトディスクが挿入されたときには、コンパクトディスク用回転ユニットがクランパに対向する位置に臨むよう、旋回フレームを旋回させる回転機構を備えて構成したので、ミニディスク及びコンパクトディスクの兼用ディスクプレーヤを小型化・軽量化することができる。
【図面の簡単な説明】
【図１】本発明に係るミニディスク及びコンパクトディスクの兼用ディスクプレーヤの分解斜視図である。
【図２】本発明に係るミニディスク及びコンパクトディスクの兼用ディスクプレーヤの平面図である。
【図３】本発明に係るクランプユニット及びローディング機構の平面図である。
【図４】本発明に係るクランプユニット及びローディング機構の側面図である。
【図５】本発明に係るローディング機構の側面図である。
【図６】本発明に係るローディング機構の要部側面図である。
【図７】本発明に係るミニディスクホルダの平面図である。
【図８】本発明に係るローディング機構の第１作用説明図である。
【図９】本発明に係るローディング機構の第２作用説明図である。
【図１０】本発明に係るローディング機構の第３作用説明図である。
【図１１】本発明に係るローディング機構の第４作用説明図である。
【図１２】本発明に係るローディング機構の第５作用説明図である。
【図１３】従来のミニディスク単体のローディング機構の説明図である。
【符号の説明】
１  ミニディスク・コンパクトディスク兼用ディスクプレーヤ
５  シャーシ（フローティングシャーシ）
７  コンパクトディスクの挿入口
７ａ  ミニディスクの挿入口
１９，２２  ターンテーブル
５０  ローディング機構
５３  駆動部
５７  第１のローラ
７４  第２のローラ
４０  クランプユニット
４３  クランパ
９０  ミニディスクホルダ
９２  シャッタ開閉ユニット
Ｃ  コンパクトディスク
Ｍ  ミニディスクカートリッジ
【図１】
0003852774.tif 000002
【図２】
0003852774.tif 000003
【図３】
0003852774.tif 000004
【図４】
0003852774.tif 000005
【図５】
0003852774.tif 000006
【図６】
0003852774.tif 000007
【図７】
0003852774.tif 000008
【図８】
0003852774.tif 000009
【図９】
0003852774.tif 000010
【図１０】
0003852774.tif 000011
【図１１】
0003852774.tif 000012
【図１２】
0003852774.tif 000013
【図１３】
0003852774.tif 000014